【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
投影光学系と液体とを介して基板を露光する露光装置において、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記第２ノズル部材が可動である露光装置。
【請求項２】
投影光学系と液体とを介して基板を露光する露光装置において、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記間隙を形成する前記第１ノズル部材の側面は、前記液体に対して撥液性である露光装置。
【請求項３】
前記間隙を形成する前記第１ノズル部材の側面は、フッ素系樹脂材料、アクリル系樹脂材料、シリコン系樹脂材料の少なくとも一つの膜の表面を含む請求項２に記載の露光装置。
【請求項４】
投影光学系と液体とを介して基板を露光する露光装置において、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記間隙を形成する前記第１ノズル部材の側面は、フッ素系樹脂材料、アクリル系樹脂材料、シリコン系樹脂材料の少なくとも一つの膜の表面を含む露光装置。
【請求項５】
前記第１ノズル部材の前記膜は、フッ素系樹脂材料、アクリル系樹脂材料、及びシリコン系樹脂材料の少なくとも一つが前記第１ノズル部材の側面に塗布されて形成される請求項３又は４に記載の露光装置。
【請求項６】
前記膜は、前記第１ノズル部材の側面に貼付されたフッ素系樹脂材料、アクリル系樹脂材料、及びシリコン系樹脂材料の少なくとも一つからなる薄膜を含む請求項３又は４に記載の露光装置。
【請求項７】
前記間隙を形成する前記第２ノズル部材の側面は、前記液体に対して撥液性である請求項２〜５のいずれか一項に記載の露光装置。
【請求項８】
投影光学系と液体とを介して基板を露光する露光装置において、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記間隙を形成する前記第２ノズル部材の側面は、前記液体に対して撥液性である露光装置。
【請求項９】
前記間隙を形成する前記第２ノズル部材の側面は、フッ素系樹脂材料、アクリル系樹脂材料、シリコン系樹脂材料の少なくとも一つの膜の表面を含む請求項６又は７に記載の露光装置。
【請求項１０】
投影光学系と液体とを介して基板を露光する露光装置において、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記間隙を形成する前記第２ノズル部材の側面は、フッ素系樹脂材料、アクリル系樹脂材料、シリコン系樹脂材料の少なくとも一つの膜の表面を含む露光装置。
【請求項１１】
前記第２ノズル部材の前記膜は、フッ素系樹脂材料、アクリル系樹脂材料、及びシリコン系樹脂材料の少なくとも一つを前記第２ノズル部材の側面に塗布されて形成される請求項９又は１０に記載の露光装置。
【請求項１２】
前記第２ノズル部材の前記膜は、前記第２ノズル部材の側面に貼付されたフッ素系樹脂材料、アクリル系樹脂材料、及びシリコン系樹脂材料の少なくとも一つからなる薄膜を含む請求項９又は１０に記載の露光装置。
【請求項１３】
前記第１ノズル部材は、前記投影光学系の像面側端部の光学素子の周りを囲むように設けられ、
前記光学素子と前記第１ノズル部材との間には間隙が形成され、
前記光学素子との間で前記間隙を形成する第１ノズル部材の内側面は、前記液体に対して撥液性である請求項２〜１２のいずれか一項に記載の露光装置。
【請求項１４】
前記第１ノズル部材との間で前記間隙を形成する前記光学素子の側面は、前記液体に対して撥液性である請求項１３に記載の露光装置。
【請求項１５】
前記第１ノズル部材は、前記投影光学系の像面側端部の光学素子の周りを囲むように設けられ、
前記光学素子と前記第１ノズル部材との間には間隙が形成され、
前記第１ノズル部材との間で前記間隙を形成する前記光学素子の側面は、前記液体に対して撥液性である請求項２〜１２のいずれか一項に記載の露光装置。
【請求項１６】
前記液体は、水を含む請求項２〜１５のいずれか一項に記載の露光装置。
【請求項１７】
前記第２ノズル部材の下面が、前記第１ノズル部材の下面よりも低い請求項２〜１６のいずれか一項に記載の露光装置。
【請求項１８】
投影光学系と液体とを介して基板を露光する露光装置において、
前記基板を保持する基板ステージと、
前記投影光学系の像面側近傍に設けられ、液体供給口及び第１液体回収口のうち少なくともいずれか一方を有する第１ノズル部材と、
前記投影光学系の投影領域に対して前記第１ノズル部材の外側に設けられ、前記第１液体回収口とは別の第２液体回収口を有する第２ノズル部材とを備え、
前記第１ノズル部材と前記第２ノズル部材との間には間隙が形成され、
前記第２ノズル部材の下面が、前記第１ノズル部材の下面よりも低い露光装置。
【請求項１９】
前記第２ノズル部材が可動である請求項２〜１８のいずれか一項に記載の露光装置。
【請求項２０】
前記第１ノズル部材及び前記第２ノズル部材を保持するノズルホルダを備え、
前記第２ノズル部材は、前記ノズルホルダに対して可動である請求項１又は１９に記載の露光装置。
【請求項２１】
前記ノズルホルダに対して前記第２ノズル部材を可動に接続する接続機構を有する請求項２０に記載の露光装置。
【請求項２２】
前記接続機構は、弾性体を含む請求項２１に記載の露光装置。
【請求項２３】
前記接続機構は、アクチュエータを含む請求項２１又は２２に記載の露光装置。
【請求項２４】
前記アクチュエータを含む前記接続機構は、前記第２ノズル部材で発生した振動が前記投影光学系に伝達されないようにアクティブ防振する請求項２３に記載の露光装置。
【請求項２５】
前記接続機構は、磁力によって前記第２ノズル部材を前記ノズルホルダに接続する請求項２１〜２４のいずれか一項に記載の露光装置。
【請求項２６】
前記ノズルホルダと前記第１ノズル部材とを位置決めする位置決め機構を有する請求項２０〜２５のいずれか一項に記載の露光装置。
【請求項２７】
前記第１ノズル部材及び前記第２ノズル部材のそれぞれを分離可能に保持するノズル保持機構を備える請求項１〜１９のいずれか一項に記載の露光装置。
【請求項２８】
前記ノズル保持機構は、前記第１ノズル部材と前記第２ノズル部材とを離して保持する請求項２７に記載の露光装置。
【請求項２９】
前記ノズル保持機構は、前記投影光学系を支持する支持部材に支持されている請求項２７又は２８に記載の露光装置。
【請求項３０】
前記ノズル保持機構に対して前記第２ノズル部材を可動に接続する接続機構を有する請求項２７〜２９のいずれか一項に記載の露光装置。
【請求項３１】
前記接続機構は、前記第２ノズル部材を前記ノズル保持機構に対して柔らかく接続する請求項３０に記載の露光装置。
【請求項３２】
前記接続機構は、前記第２ノズル部材と前記ノズル保持機構とを振動的に分離する請求項３１に記載の露光装置。
【請求項３３】
前記接続機構は、前記第２ノズル部材の振動が前記ノズル保持機構に伝達されないように減衰する請求項３２に記載の露光装置。
【請求項３４】
前記接続機構は、弾性体を含む請求項３１〜３３のいずれか一項に記載の露光装置。
【請求項３５】
前記基板を支持する基板ステージを備え、
前記第２ノズル部材は、前記基板ステージに対して前記第１ノズル部材よりも近くに設けられている請求項１〜３４のいずれか一項に記載の露光装置。
【請求項３６】
前記基板又は前記基板ステージが前記第２ノズル部材に衝突した際の衝撃を吸収する緩衝機構を備える請求項３５に記載の露光装置。
【請求項３７】
前記緩衝機構は、前記第２ノズル部材と、該第２ノズル部材を保持するノズル保持機構との間に設けられた弾性体を含む請求項３６に記載の露光装置。
【請求項３８】
前記第１液体回収口に多孔体が配置されている請求項１〜３７のいずれか一項に記載の露光装置。
【請求項３９】
前記第２液体回収口に多孔体が配置されている請求項１〜３８のいずれか一項に記載の露光装置。
【請求項４０】
前記第１ノズル部材は、前記投影光学系の像面側の気体、及び前記液体中の気泡の少なくとも一方を排出するための排気口を有する請求項１〜３９のいずれか一項に記載の露光装置。
【請求項４１】
前記排気口は、前記基板が対向する前記第１ノズル部材の下面に配置される請求項４０に記載の露光装置。
【請求項４２】
前記液体供給口は、前記下面に配置される請求項４１に記載の露光装置。
【請求項４３】
前記第１ノズル部材は、前記下面に形成された凹部を有し、
前記液体供給口及び前記排気口は、前記凹部の内側に配置される請求項４１又は４２に記載の露光装置。
【請求項４４】
前記排気口は、前記投影光学系の投影領域に対して前記第１液体回収口よりも近くに設けられる請求項４０〜４３のいずれか一項に記載の露光装置。
【請求項４５】
前記排気口に接続された排気流路のうち前記排気口の近傍は、前記排気口に向かって漸次拡がる傾斜面である請求項４０〜４４のいずれか一項に記載の露光装置。
【請求項４６】
前記液体供給口は、前記投影光学系の投影領域と前記第１液体回収口との間に設けられる請求項１〜４５のいずれか一項に記載の露光装置。
【請求項４７】
前記第２ノズル部材は、前記第１ノズル部材の周りを囲むように設けられる請求項１〜４６のいずれか一項に記載の露光装置。
【請求項４８】
前記第１ノズル部材の第１液体回収口を介して液体を回収する第１液体回収機構と、
前記第２ノズル部材の第２液体回収口を介して液体を回収する第２液体回収機構とを備え、
前記第１液体回収機構と前記第２液体回収機構とは別の駆動源でそれぞれ駆動される請求項１〜４７のいずれか一項に記載の露光装置。
【請求項４９】
前記第２液体回収口を介して液体が回収されたか否かを検出する検出器と、
前記検出器の検出結果に基づいて、露光装置の動作を制御する制御装置とを備えた請求項１〜４８のいずれか一項に記載の露光装置。
【請求項５０】
液体を供給する液体供給機構を備え、
前記制御装置は、前記検出器の検出結果に基づいて、前記液体供給機構の動作を制御する請求項４９に記載の露光装置。
【請求項５１】
請求項１〜請求項５０のいずれか一項に記載の露光装置を用いるデバイス製造方法。
【請求項５２】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口から液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置され、前記第１ノズル部材に対して可動な第２ノズル部材が有する第２液体回収口から液体回収を行うことと、を含む露光方法。
【請求項５３】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口から液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置された第２ノズル部材が有する第２液体回収口からの液体回収を行うことと、を含み、
前記第２ノズル部材との間で前記間隙を形成する前記第１ノズル部材の側面は、前記液体に対して撥液性である露光方法。
【請求項５４】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口からの液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置された第２ノズル部材が有する第２液体回収口からの液体回収を行うことと、を含み、
前記第２ノズル部材との間で前記間隙を形成する前記第１ノズル部材の側面は、フッ素系樹脂材料、アクリル系樹脂材料、シリコン系樹脂材料の少なくとも一つの膜の表面を含む露光方法。
【請求項５５】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口から液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置された第２ノズル部材が有する第２液体回収口からの液体回収を行うことと、を含み、
前記第１ノズル部材との間で前記間隙を形成する前記第２ノズル部材の側面は、前記液体に対して撥液性である露光方法。
【請求項５６】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口からの液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置された第２ノズル部材が有する第２液体回収口からの液体回収を行うことと、を含み、
前記第１ノズル部材との間で前記間隙を形成する前記第２ノズル部材の側面は、フッ素系樹脂材料、アクリル系樹脂材料、シリコン系樹脂材料の少なくとも一つの膜の表面を含む露光方法。
【請求項５７】
投影光学系と液体とを介して基板を露光する露光方法であって、
前記投影光学系の像面側近傍に設けられた第１ノズル部材が有する液体供給口からの液体供給と、前記第１ノズル部材が有する第１液体回収口からの液体回収とにより、前記基板上に液体で液浸領域を形成することと、
前記投影光学系と前記液浸領域の液体を介して前記基板を露光することと、
前記投影光学系の投影領域に対して前記第１ノズル部材の外側において前記第１ノズル部材との間に間隙が形成されるように配置され、前記第１ノズル部材の下面よりも低い下面を有する第２ノズル部材が有する第２液体回収口からの液体回収を行うことと、を含む露光方法。
【請求項５８】
請求項５２〜請求項５７のいずれか一項に記載の露光方法を用いるデバイス製造方法。